(57)【要約】【課題】複数の筐体の相対移動を精度よく検出できる電子機器を提供する。【解決手段】携帯電話機１は、操作筐体３と、表示筐体５と、操作筐体３と表示筐体５とを相対移動可能に連結するとともに、操作筐体３内部と表示筐体５内部とを連通する連結部７と、連結部７内に設けられた発光部２９と、連結部７内に設けられ、発光部２９からの光を連結部７内の空間を介して受光可能な受光部３１と、操作筐体３と表示筐体５との連結部７を介した相対移動に応じて変化する、受光部３１における発光部２９からの光の受光状態に基づいて、操作筐体３及び表示筐体５の相対的な位置関係を検出する制御部３３とを有する。【選択図】図２
2009239827.tif 000002
【特許請求の範囲】
【請求項１】
第１筐体と、
第２筐体と、
前記第１筐体と前記第２筐体とを相対移動可能に連結するとともに、前記第１筐体内部と前記第２筐体内部とを連通する連結部と、
前記連結部内に設けられた発光部と、
前記連結部内に設けられ、前記発光部からの光を前記連結部内の空間を介して受光可能な受光部と、
前記第１筐体と前記第２筐体との前記連結部を介した相対移動に応じて変化する、前記受光部における前記発光部からの光の受光状態に基づいて、前記第１筐体及び前記第２筐体の相対的な位置関係を検出する制御部と、
を有する電子機器。
【請求項２】
前記発光部及び前記受光部は、前記第１筐体及び第２筐体の相対移動に伴って相対移動し、前記受光部での前記受光状態が変化する
ことを特徴とする請求項１に記載の電子機器。
【請求項３】
前記発光部と前記受光部との間に位置されて、前記第１筐体及び前記第２筐体の相対移動に伴って前記受光部での前記受光状態を変化させる規制部材を有する
ことを特徴とする請求項１又は２に記載の電子機器。
【請求項４】
前記規制部材は、前記発光部と前記受光部との間に配置される複数の遮光部及び透光部を有し、
前記制御部は、前記第１筐体及び前記第２筐体の相対移動に伴い前記発光部から前記受光部への光が前記遮光部により遮光された回数及び前記透光部を透過した回数の少なくとも一方を計数して、前記第１筐体及び前記第２筐体の相対的な位置関係を検出する
ことを特徴とする請求項３に記載の電子機器。
【請求項５】
前記連結部は、前記第１筐体及び前記第２筐体を相対回転可能に連結し、
前記発光部及び前記受光部は、前記第１筐体及び前記第２筐体の相対回転に関する半径方向において前記受光部が前記発光部に向くことが可能に設けられている
ことを特徴とする請求項１〜４のいずれか１項に記載の電子機器。
【請求項６】
前記第１筐体の内部に設けられた回路基板と、
前記回路基板の主面に設けられたスイッチと、
前記スイッチ上に配置されて前記第１筐体から露出する操作部材と、
前記主面に設けられ、前記操作部材を照明する発光素子と、
を有し、
前記発光部は、前記主面に設けられている
ことを特徴する請求項１〜５のいずれか１項に記載の電子機器。
【請求項７】
前記制御部は、前記受光部における受光量の変化に基づいて、前記相対移動において前記第１筐体及び前記第２筐体が取りうる相対的な位置関係を少なくとも３つ以上検出する
ことを特徴とする請求項１〜６のいずれか１項に記載の電子機器。
【発明の詳細な説明】
【技術分野】
【０００１】
本発明は、携帯電話機、ＰＤＡ（Ｐｅｒｓｏｎａｌ  Ｄｉｇｉｔａｌ  Ａｓｓｉｓｔａｎｔ）、デジタルカメラ、ゲーム機等の電子機器に関する。
【背景技術】
【０００２】
２以上の筐体を相対移動可能に連結した電子機器が知られている。例えば、近年市場に流通している携帯電話機では、いわゆるフォルダ型と呼ばれる折り畳み式のものが主流となっている。このような、２以上の筐体を相対移動可能な電子機器では、筐体の状態（例えば、折り畳み式の電子機器における開状態及び閉状態）を検出するための検出手段が必要となる。
【０００３】
特許文献１では、折り畳み式の携帯情報端末の開閉を発光部及び受光部により検出する技術が開示されている。具体的には、特許文献１では、第１の筐体に、第１の筐体外部へ向けて発光する発光部、及び、第１の筐体外部からの光を受光する受光部が設けられ、第２の筐体に、閉状態において発光部からの光を受光部へ反射する反射部が設けられた携帯情報端末が開示されている。この携帯情報端末では、受光部により発光部からの光が検出されないときは、開状態と判断され、受光部により反射部で反射された発光部からの光が検出されるときは、閉状態と判断される。
【特許文献１】特開２００１−０２２４７２号公報
【発明の開示】
【発明が解決しようとする課題】
【０００４】
特許文献１の、前者の態様の情報端末装置では、発光部からの光が筐体内部から筐体外部へ、筐体外部から筐体内部へと、筐体を通過して受光部に受光される。従って、筐体の、光の透過部にゴミ等が付着すると、発光部からの光が透過し難くなり、検出精度が低下する。
【０００５】
本発明の目的は、複数の筐体の相対移動を精度よく検出できる電子機器を提供することにある。
【課題を解決するための手段】
【０００６】
本発明の電子機器は、第１筐体と、第２筐体と、前記第１筐体と前記第２筐体とを相対移動可能に連結するとともに、前記第１筐体内部と前記第２筐体内部とを連通する連結部と、前記連結部内に設けられた発光部と、前記連結部内に設けられ、前記発光部からの光を前記連結部内の空間を介して受光可能な受光部と、前記第１筐体と前記第２筐体との前記連結部を介した相対移動に応じて変化する、前記受光部における前記発光部からの光の受光状態に基づいて、前記第１筐体及び前記第２筐体の相対的な位置関係を検出する制御部と、を備えることを特徴とする。
【０００７】
更に好適には、前記発光部及び前記受光部は、前記第１筐体及び第２筐体の相対移動に伴って相対移動し、前記受光部での前記受光状態が変化することを特徴とする。
【０００８】
更に好適には、前記発光部と前記受光部との間に位置されて、前記第１筐体及び前記第２筐体の相対移動に伴って前記受光部での前記受光状態を変化させる規制部材を有することを特徴とする。
【０００９】
更に好適には、前記規制部材は、前記発光部と前記受光部との間に配置される複数の遮光部及び透光部を有し、前記制御部は、前記第１筐体及び前記第２筐体の相対移動に伴い前記発光部から前記受光部への光が前記遮光部により遮光された回数及び前記透光部を透過した回数の少なくとも一方を計数して、前記第１筐体及び前記第２筐体の相対的な位置関係を検出することを特徴とする。
【００１０】
更に好適には、前記連結部は、前記第１筐体及び前記第２筐体を相対回転可能に連結し、前記発光部及び前記受光部は、前記第１筐体及び前記第２筐体の相対回転に関する半径方向において前記受光部が前記発光部に向くことが可能に設けられていることを特徴とする。
【００１１】
更に好適には、前記第１筐体の内部に設けられた回路基板と、前記回路基板の主面に設けられたスイッチと、前記スイッチ上に配置されて前記第１筐体から露出する操作部材と、前記主面に設けられ、前記操作部材を照明する発光素子と、を有し、前記発光部は、前記主面に設けられていることを特徴とする。
【００１２】
更に好適には、前記制御部は、前記受光部における受光量の変化に基づいて、前記相対移動において前記第１筐体及び前記第２筐体が取りうる相対的な位置関係を少なくとも３つ以上検出することを特徴とする。
【発明の効果】
【００１３】
本発明によれば、複数の筐体の相対移動を精度よく検出できる。
【発明を実施するための最良の形態】
【００１４】
（第１の実施形態）
図１は、本発明の電子機器としての携帯電話機の第１実施形態を示す外観斜視図である。携帯電話機１は、いわゆる折り畳み式の携帯電話機であり、図１は開状態を示している。なお、本実施形態及び後述する実施形態において、同様の構成については同一符号を付して説明を省略する。
【００１５】
携帯電話機１は、操作筐体３と、表示筐体５と、操作筐体３及び表示筐体５とを相対移動可能に連結する連結部７とを有している。連結部７は、例えば、操作筐体３の一端と表示筐体５の一端とを回転軸ＲＡ回りに回転可能に連結している。
【００１６】
操作筐体３及び表示筐体５は、例えば、それぞれ概ね薄型直方体状に構成されており、閉状態では、紙面手前側の正面部３ａ及び５ａを互いに向かい合わせて重ね合わされる。このとき、両者の輪郭は、重ね合わせ方向に見て概ね一致する。操作筐体３及び表示筐体５は、例えば、樹脂により構成されている。
【００１７】
連結部７は、例えば、操作筐体３及び表示筐体５の一部を含んで構成されている（操作筐体３及び表示筐体５の一部は連結部７に兼用されている。）。具体的には、例えば、操作筐体３の端部に形成された凹部９の両側の２つの側方部１１Ａ及び１１Ｂ（以下、Ａ又はＢを省略することがある。）と、表示筐体５から突出し、凹部９に嵌合される突部１３とを有している。換言すれば、操作筐体３から延在してなる側方部１１と、表示筐体５から延在してなる突部１３と、から連結部７の外観は構成されている。突部１３は、例えば、表示筐体５の正面部５ａから突出し、回転軸ＲＡの軸方向を軸とする筒状に形成されている。
【００１８】
突部１３及び側方部１１の、回転軸ＲＡの軸方向において互いに対向する面には、それぞれ、開口（側方部１１の開口は不図示、突部１３の開口１３ｈは図６参照）が形成されており、突部１３及び側方部１１は、互いに連通している。換言すれば、連結部７は、操作筐体３内部と表示筐体５内部とを連通している。
【００１９】
操作筐体３には、例えば、通信を行うためのアンテナ４３（図３参照）、操作筐体３の正面部３ａに形成された収音孔１５を介して収音するマイクロフォン４７（図３参照）、ユーザの操作を受け付ける操作部１７が設けられている。収音孔１５は、例えば、連結部７とは反対側の端部に位置している。操作部１７は、例えば、正面部３ａから露出する複数のキートップ１９を有している。なお、複数のキートップ１９に代えて、一枚のシート状の操作部材が設けられてもよい。
【００２０】
表示筐体５には、例えば、表示筐体５の正面部５ａに形成された放音孔２１から放音するスピーカ４５（図３参照）、ユーザに情報を提示する表示部２３が設けられている。放音孔２１は、例えば、連結部７とは反対側の端部に位置している。表示部２３は、例えば、液晶表示装置や有機ＥＬ表示装置から構成されている。
【００２１】
図２は、図１のＩＩ−ＩＩ線における断面を示す概略図である。
【００２２】
連結部７は、上述の側方部１１及び突部１３に挿通されて、これらを回転軸ＲＡ回りに回転可能に連結する適宜な連結部品を有している。このような連結部品は、例えば、特に図示しないが、側方部１１及び突部１３の少なくとも一方に対して回転軸ＲＡ回りに回転（摺動）可能に、側方部１１及び突部１３に挿通される筒状部材により構成される。また、連結部品は、例えば、側方部１１に固定される第１構成部材と、突部１３に対して固定され、第１構成部材に対して回転軸ＲＡ回りに回転可能に連結される第２構成部品とにより構成される。そして、連結部品には、操作筐体３内の電子回路と、表示筐体５内の電子回路とを接続する信号線が挿通されたり、クリック感を生じさせるクリック機構が設けられたりする。
【００２３】
図２では、連結部７が、側方部１１Ａ（図１）に対して回転軸ＲＡ回りに回転不可能に挿通され、突部１３に対して回転軸ＲＡ回りに回転可能に挿通された筒状部材２５を有している場合を例示している。
【００２４】
筒状部材２５は、例えば、樹脂により構成されており、回転軸ＲＡを軸とする円筒状に形成されている。筒状部材２５は、側方部１１Ａ及び突部１３の互いに対向する面に形成された開口（図２では不図示）に嵌合している。筒状部材２５は、例えば、不図示の係合部が側方部１１Ａ内部に形成された不図示の被係合部に係合することにより、回転軸ＲＡ回りの回転が規制される。なお、筒状部材２５は、側方部１１Ａ内で屈曲していてもよい。
【００２５】
筒状部材２５には、信号線２７が挿通されている。信号線２７は、操作筐体３内の電子回路と表示筐体５内の電子回路とを接続するためのものであり、例えば、複数の細線同軸ケーブル又はＦＰＣにより構成されている。信号線２７は、可撓性を有しており、操作筐体３及び表示筐体５の開閉に伴って変形する。
【００２６】
携帯電話機１は、操作筐体３及び表示筐体５の開閉を検出するための光学式の開閉検出部を有している。具体的には、携帯電話機１は、連結部７内に、発光部２９と、発光部２９からの光を受光可能な受光部３１とを有している。
【００２７】
発光部２９は、例えば、全方位型（広指向型）又は指向型のＬＥＤにより構成されている。発光部２９は、例えば、筒状部材２５の外周部に設けられている。なお、上述のように、筒状部材２５は、操作筐体３に対して固定されているから、発光部２９は、操作筐体３に対して固定的に設けられていることになる。なお、発光部２９が指向性を有する場合には、発光部２９は、例えば、発光する方向を筒状部材２５の半径方向外側に向けて配置される。
【００２８】
発光部２９の生成する光の波長は、適宜に設定されてよい。例えば、発光部２９の生成する光は、赤外光であってもよいし、可視光であってもよいし、紫外光であってもよい。可視光である場合には、白色光であってもよいし、赤色光であってもよいし、緑色光であってもよいし、青色光であってもよい。
【００２９】
受光部３１は、例えば、フォトダイオードにより構成されており、受光量に応じた電気信号を出力する。受光部３１は、例えば、突部１３の内周部に、筒状部材２５側に受光面３１ａを向けて設けられている。従って、筒状部材２５の回転に伴って、発光部２９及び受光部３１は、互いに対向若しくは非対向となる。受光部３１の位置は、例えば、携帯電話機１が開状態となったときに、操作筐体３及び表示筐体５の回転に関する半径方向において発光部２９と対向する位置である。なお、図２では、受光部３１が突部１３の頂部の内側に設けられている場合を例示している。
【００３０】
図３は、携帯電話機１の信号処理系の構成を示すブロック図である。なお、上述のように、連結部７は、操作筐体３及び表示筐体５の一部を含んで構成されているが、図３では、理解を容易にするために、連結部７を操作筐体３及び表示筐体５とは別個に図示している。
【００３１】
携帯電話機１は、例えば、制御部３３、通信処理部３５、音響処理部３７、画像処理部３９及び発光駆動部４１を有している。
【００３２】
制御部３３は、例えば、ＣＰＵ、ＲＯＭ、ＲＡＭ及び外部記憶装置を含んで構成されており、各部からの信号に基づいて所定の演算を行い、通信処理部３５等の各部の制御を実行する。例えば、受光部３１からの信号に基づいて、携帯電話機１の開閉を検出する。また、例えば、操作部１７からの信号に基づいて、通信を行うための処理を実行する。
【００３３】
通信処理部３５は、高周波回路を含んで構成されている。通信処理部３５は、電波を利用した遠距離無線通信を行うために、制御部３３で処理された音響データ、画像データ等の各種データを変調して、アンテナ４３を介して送信する。また、通信処理部３５は、アンテナ４３を介して受信した信号を復調して制御部３３に出力する。
【００３４】
音響処理部３７は、制御部３３からの所定フォーマットの音響データを電気信号に変換して通話用のスピーカ４５に出力する。スピーカ４５は、音響処理部３７からの電気信号を音響に変換して出力する。一方、マイクロフォン４７は、入力された音響を電気信号に変換して音響処理部３７に出力する。音響処理部３７は、マイクロフォン４７からの電気信号を所定フォーマットの音響データに変換して制御部３３に出力する。
【００３５】
画像処理部３９は、制御部３３からの所定フォーマットの画像データを画像信号に変換して表示部２３へ出力する。表示部２３では、画像信号に応じた画像を表示する。
【００３６】
発光駆動部４１は、制御部３３からの駆動信号に応じた電力を発光部２９に供給する。発光部２９は、供給された電力に応じた光量の光を生成する。受光部３１は、受光した光量に応じた電気信号を出力し、その電気信号は、不図示のアンプ等を介して制御部３３に出力される。
【００３７】
制御部３３等は、操作筐体３及び表示筐体５のいずれに設けられてもよいが、例えば、操作筐体３に設けられている。そして、上述のように、制御部３３等を含む操作筐体３に設けられた電子回路と、表示部２３等を含む表示筐体５に設けられた電子回路とは、連結部７を介して信号線２７により接続されている。なお、発光部２９及び受光部３１と制御部３３とを接続する信号線は、信号線２７に含まれていてもよいし、信号線２７とは別個に設けられていてもよい。
【００３８】
図４は、携帯電話機１の作用を説明する図である。具体的には、図４（ａ）〜図４（ｃ）は、携帯電話機１の各種の状態における模式的な断面図を示している。なお、以下では、理解を容易にするために、発光部２９が指向性を有するものとして説明する。
【００３９】
図４（ａ）は、携帯電話機１の閉状態を示している。この状態では、発光部２９と、受光部３１の受光面３１ａとは対向していない。従って、受光部３１においては、発光部２９の生成した光は受光されない、若しくは、発光部２９の生成した光のうち、突部１３の内周部等により反射された少量の光のみが受光される。
【００４０】
図４（ｂ）は、携帯電話機１の、閉状態から開状態へ移行する、若しくは、開状態から閉状態へ移行する過渡状態を示している。この状態では、受光部３１の受光面３１ａが発光部２９に対して斜めに対向している。従って、受光部３１においては、発光部２９の生成した光が十分に受光されないものの、図４（ａ）の状態よりも多い光量で受光される。
【００４１】
図４（ｃ）は、携帯電話機１の開状態を示している。この状態では、受光部３１の受光面３１ａが発光部２９に対して真正面を向くこととなる。従って、受光部３１においては、発光部２９の生成した光が十分に受光される。つまり、図４（ａ）及び図４（ｂ）に示した状態に比して、強い光が受光部３１によって検知される。
【００４２】
ここで、発光部２９及び受光部３１は、共に連結部７内に配置されていることから、図４（ｂ）及び図４（ｃ）の状態において、発光部２９の生成した光は、連結部７内の空間を介して受光部３１に受光される。
【００４３】
なお、図４では、発光部２９が、指向性を有するものとして説明したが、発光部２９が全方位型（広指向型）のものであっても、閉状態等においては、発光部２９の光は筒状部材２５（規制部材）により遮られるから、発光部２９が指向性を有する場合と同様に、閉状態から開状態に移行するに従って、受光部３１の受光する光量が徐々に増加する。
【００４４】
図５は、携帯電話機１の開閉状態と、受光部３１の受光する光量との関係を示す図である。横軸は、携帯電話機１の開閉状態を、縦軸は、受光部３１の受光する光量を示している。
【００４５】
図５では、閉状態付近の第１範囲Ｓ１においては、受光部３１における受光量が０若しくは非常に少なく、且つ、一定であり、過渡状態に含まれる第２範囲Ｓ２においては開状態ほど受光量が多くなるように受光量が変化し、開状態付近の第３範囲Ｓ３においては、受光部３１における受光量が多く、且つ、一定である場合を例示している。
【００４６】
従って、制御部３３は、例えば、受光部３１の受光した光量が、所定の閉状態検出閾値ａｃ以下となったか否かにより、閉状態を検出できる。また、制御部３３は、例えば、受光部３１の受光した光量が、所定の開状態検出閾値ａｏ以上となったか否かにより、開状態を検出できる。
【００４７】
さらに、第２範囲Ｓ２においては、受光部３１の受光量が携帯電話機１の状態の変化に伴って変化しているから、制御部３３は、過渡状態の中の任意の状態（相対移動の中途の位置）を検出することができる。例えば、制御部３３は、受光部３１の受光量が、閉状態検出閾値ａｃと開状態検出閾値ａｏとの間において適宜に設定された、第１過渡状態検出閾値ａ１から第２過渡状態検出閾値ａ２までの範囲に含まれるか否かにより、携帯電話機１の、過渡状態の中の任意の状態を検出できる。なお、第１過渡状態検出閾値ａ１及び第２過渡状態検出閾値ａ２の少なくとも一方には、閉状態検出閾値ａｃ及び開状態検出閾値ａｏを用いることもできる。
【００４８】
なお、図５では、第２範囲Ｓ２における光量の変化率が一定の場合を例示したが、光量の変化率は一定でなくてもよい。また、閉状態及び開状態付近において、光量の変化率が略一定になる第１範囲Ｓ１及び第３範囲Ｓ３は、必須ではなく、閉状態付近及び開状態付近においても、光量は変化していてもよい。
【００４９】
制御部３３は、過渡状態の中の任意の状態（一つでも複数でもよい）を検出すると、所定の処理を実行する。例えば、制御部３３は、過渡状態の中の任意の状態が検出されたときに、従来において操作部１７に対して行われるべき操作が行われたときと同様の処理を実行する。例えば、制御部３３は、過渡状態の中の任意の状態が検出されたときに、メールの着信の有無の確認処理を行ったり、メールの送信処理を行ったりすることが可能である。これにより、例えば、開状態において、少し表示筐体５を操作筐体３に対して揺動させることにより、操作部１７に対する操作と同様の処理が行われ、操作ボタンの省略若しくは操作方法の多様化が可能となる。
【００５０】
また、例えば、制御部３３は、開状態及び閉状態に対して互いに異なる制御モードを割り当てるのと同様に、過渡状態の中の任意の状態に対して、開状態及び閉状態とは異なる制御モードを割り当てる。例えば、制御部３３は、閉状態が検出されているときは、表示を行わないように表示部２３を制御し、閉状態の解除が検出されると、表示を行うように表示部２３を制御して、電力を節約する。制御部３３は、開状態を検出しているときに、一定の時間内に操作部１７に対して操作が行われないと、輝度を下げるように表示部２３を制御して、電力を節約する。そして、制御部３３は、過渡状態の中の任意の状態が検出されているときは、一定の時間内に操作部１７に対して操作が行われない場合であっても、輝度を過渡状態に遷移する前の状態と比して維持するように表示部２３を制御する。
【００５１】
以上の第１の実施形態によれば、携帯電話機１は、操作筐体３と、表示筐体５と、操作筐体３と表示筐体５とを相対移動可能に連結するとともに、操作筐体３内部と表示筐体５内部とを連通する連結部７と、連結部７内に設けられた発光部２９と、連結部７内に設けられ、発光部２９からの光を連結部７内の空間を介して受光可能な受光部３１と、操作筐体３及び表示筐体５との連結部７を介した相対移動に応じて変化する、受光部３１における発光部２９からの光の受光量に基づいて、操作筐体３及び表示筐体５の相対的な位置関係を検出する制御部３３と、を有していることから、発光部２９から受光部３１への光路は筐体外部を通らない。従って、筐体にゴミ等が付着しても、受光部３１における受光量が減じられることはなく、開閉の検出精度が向上する。また、筐体外部の環境に依存した光（以下、環境光と記述することもある）の影響も低減されるから、開閉の検出の精度が一層向上する。開状態と閉状態とで環境光の影響の差は小さいから、受光量が多くなる状態を、開状態及び閉状態のいずれに割り当てるかも任意に設定できる。さらに、部品の配置が難しい連結部７の内部の空間を有効利用できる。
【００５２】
発光部２９は、操作筐体３に対して固定的に設けられ、受光部３１は、表示筐体５に対して固定的に設けられ、発光部２９及び受光部３１は、操作筐体３及び表示筐体５の相対移動に伴って相対移動し、受光部３１における発光部２９からの光の受光量が変化することから、簡素な構成で光学式の開閉検出が実現される。
【００５３】
発光部２９及び受光部３１は、連結部７内に設けられていることから、連結部７に光路を設定することが容易である。また、連結部７では、操作筐体３及び表示筐体５が、開閉に関らずに隣接していることから、発光部２９及び受光部３１を隣接させた状態で、操作筐体３及び表示筐体５に対して固定的に設けることが可能となり、光量を考慮した構造設計若しくは動作設計が容易化される。
【００５４】
連結部７は、操作筐体３及び表示筐体５を相対回転可能に連結し、発光部２９及び受光部３１は、操作筐体３及び表示筐体５の相対回転に関する半径方向において受光部３１が発光部２９に向くことが可能に設けられていることから、例えば、本実施形態のように、発光部２９及び受光部３１が相対移動して受光量が変化する場合に、発光部２９及び受光部３１の距離及び向きを大きく変化させて受光量を効率的に変化させることができる。
【００５５】
制御部３３は、受光部３１における受光量の変化に基づいて、前記相対移動において操作筐体３及び表示筐体５が取りうる相対的な位置関係のうち、少なくとも開状態、閉状態及び中途位置を検出することから、上述のように、操作方法の多様化や制御モードの多様化が図られる。
【００５６】
なお、以上の第１の実施形態において、携帯電話機１は本発明の電子機器の一例であり、操作筐体３は本発明の第１筐体の一例であり、表示筐体５は本発明の第２筐体の一例である。
【００５７】
（第２の実施形態）
図６は、本発明の電子機器としての携帯電話機の第２実施形態を示す図である。具体的には、図６は、図１のＶＩ−ＶＩ線における断面を示す概略図である。
【００５８】
第２の実施形態では、携帯電話機１０１の連結部１０７は、第１の実施形態の筒状部材２５に代えて、遮光部材１２５を有している。
【００５９】
遮光部材１２５は、例えば、遮光性の樹脂により構成されており、回転軸ＲＡを軸とする筒状部材により構成されている。ただし、遮光部材１２５は、開口１２５ｈが形成されることにより、断面がＣ字の形状をしている。遮光部材１２５は、側方部１１Ａ（図１）に対して回転軸ＲＡ回りに回転可能に挿通され、突部１３に対して回転軸ＲＡ回りに回転不可能に挿通されている。具体的には、例えば、遮光部材１２５は、側方部１１Ａ及び突部１３の互いに対向する面に形成された開口１３ｈ（側方部１１Ａの開口は不図示）に嵌合するとともに、不図示の係合部が突部１３内部に形成された不図示の被係合部に回転軸ＲＡ回りの回転方向において係合している。なお、遮光部材１２５は、突部１３内で屈曲していてもよい。
【００６０】
携帯電話機１０１は、操作筐体３内に、回路基板４９と、回路基板４９に設けられた複数のスイッチ５１と、回路基板４９に設けられた複数の発光素子５３とを有している。
【００６１】
回路基板４９は、例えば、リジッド式基板又はＦＰＣにより構成されており、正面部３ａ（図１参照、図６の紙面上方側）に主面４９ａを向けて配置されている。スイッチ５１は、押圧式のスイッチであり、例えば、ドームスイッチにより構成され、主面４９ａに設けられている。
【００６２】
複数のスイッチ５１上には、複数のキートップ１９（図１）が配置されており、複数のスイッチ５１は、複数のキートップ１９に対する押圧操作により操作される。なお、一のキートップ１９は、基本的には、一のスイッチ５１に対して配置されるが、カーソルキーなどにおいては、一のキートップ１９が、複数のスイッチ５１に対して配置される。
【００６３】
発光素子５３は、キートップ１９を筐体内部側から照明するためのものであり、主面４９ａに設けられている。複数の発光素子５３は、例えば、複数のスイッチ５１間や複数のスイッチ５１の周囲に配置されている。なお、発光素子５３は、透光性のキートップ１９に光を透過させてキートップ１９を照明するものであってもよいし、複数のキートップ１９間の隙間から光を透過させることによりキートップ１９を照明するものであってもよい。
【００６４】
開閉検出用の発光部２９は、回路基板４９の主面４９ａに設けられている。換言すれば、発光部２９は、操作筐体３に対して固定的に設けられている。発光部２９は、発光素子５３と同一の構成であってもよいし、異なる構成であってもよい。また、発光部２９は、キートップ１９の照明に兼用されるものであってもよい。発光部２９は、連結部１０７内、より具体的には、側方部１１Ａ内に、又は、操作筐体３のうち、連結部１０７に隣接する部分の内部に配置されている。なお、発光部２９は、全方位型のものであってもよいし、指向性を有するものであってもよいが、指向性のものである場合には、放射方向を受光部３１へ向けて主面４９ａに実装されることが好ましい。
【００６５】
受光部３１は、遮光部材１２５の内部に配置されている。換言すれば、受光部３１は、連結部１０７、より具体的には、側方部１１Ａ内に配置されている。受光部３１は、遮光部材１２５内であれば、回転軸ＲＡの位置や遮光部材１２５の内周面に隣接する位置等の適宜な位置に配置されてよい。受光部３１は、操作筐体３に対して固定的に設けられている。例えば、特に図示しないが、遮光部材１２５に対して回転軸ＲＡ方向に挿通され、図６の紙面手前側において側方部１１Ａに固定された固定部材に設けられることにより、操作筐体３に対して固定的に設けられている。受光部３１は、受光面３１ａを発光部２９に向けて配置されている。
【００６６】
なお、信号線２７は、遮光部材１２５に挿通されていてもよいし、側方部１１Ｂ側において、操作筐体３及び表示筐体５に挿通されていてもよい。
【００６７】
図７は、第２の実施形態の携帯電話機１０１の作用を説明する図である。具体的には、図７（ａ）〜図７（ｃ）は、携帯電話機１０１の各種の状態における模式的な断面図を示している。
【００６８】
図７（ａ）は、携帯電話機１０１の閉状態を示している。この状態では、発光部２９と、受光部３１との間には、遮光部材１２５が位置している。従って、発光部２９の生成した光は遮光部材１２５により遮光され、受光部３１においては発光部２９の光は受光されない。
【００６９】
図７（ｂ）は、携帯電話機１０１の、閉状態から開状態へ移行する、若しくは、開状態から閉状態へ移行する過渡状態を示している。この状態では、開口１２５ｈの一部が発光部２９と受光部３１との間に位置している。従って、受光部３１においては、発光部２９の生成した光が十分に受光されないものの、図７（ａ）の状態よりも多い光量で受光される。
【００７０】
図７（ｃ）は、携帯電話機１の開状態を示している。この状態では、開口１２５ｈが発光部２９と受光部３１との間に位置している。従って、受光部３１においては、発光部２９の生成した光が十分に受光される。
【００７１】
なお、受光部３１は、連結部７内に配置されていることから、図７（ｂ）及び図７（ｃ）の状態において、発光部２９の生成した光は、連結部７内の空間を介して受光部３１に受光される。
【００７２】
また、携帯電話機１の状態と、受光部３１との受光量との関係は、第１の実施形態と同様に、概略的には、図５により示される。そして、第２の実施形態においても、第１の実施形態と同様に、制御部３３は、受光部３１からの信号に基づいて、開状態及び閉状態とともに、過渡状態の中の任意の状態を検出可能である。
【００７３】
以上の第２の実施形態によれば、第１の実施形態と同様の効果、すなわち、発光部２９の光が連結部７内の空間を介して受光部３１により受光されることによる、ゴミ等の付着に起因する検出精度の低下抑制の効果等が得られる。
【００７４】
また、第２の実施形態では、操作筐体３及び表示筐体５の相対移動に伴って発光部２９と受光部３１との間において移動して、受光部３１における発光部２９からの光の受光量を変化させる遮光部材１２５を有することから、簡素な構成で光学式の開閉検出が実現される。
【００７５】
携帯電話機１０１は、操作筐体３の内部に設けられた回路基板４９と、回路基板４９の主面４９ａに設けられたスイッチ５１と、スイッチ５１上に配置されて操作筐体３から露出するキートップ１９と、主面４９ａに設けられ、キートップ１９を照明する発光素子５３と、を有し、発光部２９は、主面４９ａに設けられていることから、もともと発光素子５３が設けられている回路基板４９に発光部２９を設けることになり、大きな設計変更が生じない。また、発光部２９をキートップ１９を照明するための発光素子として兼用する（換言すれば、キートップ１９を照明するための発光素子５３を発光部２９に利用する）ことも可能となる。
【００７６】
なお、以上の第２の実施形態において、携帯電話機１０１は本発明の電子機器の一例であり、操作筐体３及び表示筐体５の一方は本発明の第１筐体の一例であり、操作筐体３及び表示筐体５の他方は本発明の第２筐体の一例であり、遮光部材１２５は本発明の規制部材の一例であり、キートップ１９は本発明の操作部材の一例である。
【００７７】
（第３の実施形態）
図８は、本発明の電子機器としての携帯電話機の第３実施形態を示す図である。なお、図８は、第２の実施形態の図６に対応する図である。
【００７８】
第２の実施形態では、携帯電話機２０１の連結部２０７は、第２の実施形態の遮光部材１２５に代えて、カゴ状部材２２５（規制部材）を有している。
【００７９】
カゴ状部材２２５は、第２の実施形態の遮光部材１２５と概ね同様の構成である。すなわち、カゴ状部材２２５は、遮光性の樹脂により、回転軸ＲＡを軸とする筒状部材により構成され、側方部１１Ａ（図１）に対して回転軸ＲＡ回りに回転可能に挿通され、突部１３に対して回転軸ＲＡ回りに回転不可能に挿通されている。発光部２９及び受光部３１も第２の実施形態と同様に設けられている。
【００８０】
ただし、カゴ状部材２２５は、回転軸ＲＡ回りに複数の開口２２５ｈが形成されている。換言すれば、カゴ状部材２２５は、操作筐体３及び表示筐体５の相対移動に伴うカゴ状部材２２５の移動方向に沿って複数の開口２２５ｈが形成されている。そして、発光部２９の光は、複数の開口２２５ｈのいずれかを透過して受光部３１に受光される。
【００８１】
図９は、カゴ状部材２２５の展開図である。図９では、複数の開口２２５ｈとして、３つの開口２２５ｈが形成されている場合を例示している。
【００８２】
複数の開口２２５ｈは、例えば、矩形状に形成されている。複数の開口２２５ｈの間隔は、適宜に設定されてよいが、例えば、複数の開口２２５ｈの中心間距離が等しくなるように配置されている。また、例えば複数の開口２２５ｈは、互いに面積が異なるように形成されている。例えば、携帯電話機１の状態が閉状態又は開状態に近い状態のときほど（本実施形態では閉状態ほど）発光部２９及び受光部３１に挟まれて配置される所定の開口２２５ｈは、面積が小さくなるように形成されている。具体的には、複数の開口２２５ｈは、回転軸ＲＡの軸方向（図９の紙面左右方向）の長さ及び回転方向（図９の紙面上下方向）の長さの少なくとも一方（図９では回転方向の長さのみ）が閉状態ほど短くなるように形成されている。例えば図９において、α＜β＜γとなる。
【００８３】
図１０は、携帯電話機２０１の開閉状態と、受光部３１の受光する光量との関係を示す図である。横軸は、携帯電話機２０１の開閉状態を、縦軸は、受光部３１の受光する光量を示している。
【００８４】
受光部３１では、開口２２５ｈが発光部２９と受光部３１との間に位置したときに受光量が増加する。また、発光部２９と受光部３１との間に位置する開口２２５ｈが大きいほど、受光部３１の受光量は増加する。
【００８５】
従って、制御部３３は、第１の実施形態と同様に、閉状態検出閾値ａｃ及び開状態検出閾値ａｏに基づいて閉状態及び開状態を検出できる。さらに、過渡状態検出閾値（ａ１〜ａ４）に基づいて、開口２２５ｈの数に応じた段階数で、過渡状態を段階的に検出できる。
【００８６】
例えば、制御部３３は、受光部３１において、閉状態検出閾値ａｃ又はこれよりも大きい所定の閾値（例えばａ５）よりも大きい光量が検出された回数を計数することにより、換言すれば、受光部３１における受光回数を計数することにより、過渡状態の中の位置Ｐ１又はＰ２を検出できる。例えば、閉状態が検出された後に、第５過渡状態検出閾値ａ５以上の値が、１回検出されたら位置Ｐ１が検出され、２回検出されたら位置Ｐ２が検出される。さらには、３回検出されたときに（開状態検出閾値ａｏを用いずに）開状態を検出することができる。開状態から閉状態へ移行するときも同様である。
【００８７】
なお、閉状態から位置Ｐ１を経由して位置Ｐ１と位置Ｐ２との間へ位置し、その後、位置Ｐ２へ到達することなく、再度、位置Ｐ１へ戻されることも考えられる。すなわち、閉状態と開状態との間で往復移動されずに、過渡状態で引き返されることが考えられる。このような場合、計数だけでは位置Ｐ１及びＰ２を検出できない。そこで、制御部３３は、例えば、開閉の移動方向を特定し、特定した移動方向に応じて、受光回数の加算又は減算を行う。具体的には、例えば、制御部３３は、受光量が第５過渡状態検出閾値ａ５以上となってから、第５過渡状態検出閾値ａ５を下回るまでの受光量の最高値を保持するようにして、前回の最高値と今回の最高値とを比較して、増加したら開状態へ、減少したら閉状態へ移行したと判定し、受光回数の加算又は減算を行う。
【００８８】
上記のような受光回数の計数ではなく、第１の実施形態と同様に、複数の位置Ｐ１及びＰ２に対応させた受光量の帯域を設定して、複数の位置Ｐ１及びＰ２を検出してもよい。すなわち、制御部３３は、受光部３１の受光量が、第１過渡状態検出閾値ａ１から第２過渡状態検出閾値ａ２までの範囲に含まれるか否かにより、位置Ｐ１を検出し、その範囲よりも受光量が多い、第３過渡状態検出閾値ａ３から第４過渡状態検出閾値ａ４までの範囲に含まれるか否かにより、位置Ｐ２を検出してもよい。
【００８９】
なお、受光回数の計数による回転位置の検出は、遮光時と透過時との間の大きな受光量の差を検出できればよいから、検出された受光量と所定の帯域との比較による回転位置の検出に比較して、環境光の影響による誤検出等を低減して精度良く過渡状態の中の任意の位置を検出できる。
【００９０】
以上の第３の実施形態によれば、第１の実施形態と同様の効果、すなわち、発光部２９の光が連結部７内の空間を介して受光部３１により受光されることによる、ゴミ等の付着に起因する検出精度の低下抑制の効果等が得られる。
【００９１】
また、カゴ状部材２２５は、操作筐体３及び表示筐体５の相対移動に伴うカゴ状部材２２５の移動方向に沿って配列された複数の開口２２５ｈを有し、カゴ状部材２２５は、操作筐体３及び表示筐体５の相対移動に伴って、発光部２９から受光部３１への光が開口２２５ｈを透過した回数を計数して、操作筐体３及び表示筐体５の相対的な位置関係を検出することから、上述のように、受光量と所定の帯域との比較による位置検出よりも、精度良く過渡状態を検出することができる。
【００９２】
なお、以上の第３の実施形態において、携帯電話機１０１は本発明の電子機器の一例であり、操作筐体３及び表示筐体５の一方は本発明の第１筐体の一例であり、操作筐体３及び表示筐体５の他方は本発明の第２筐体の一例であり、カゴ状部材２２５は本発明の規制部材の一例であり、カゴ状部材２２５の、複数の開口２２５ｈ間の複数の遮光部分２２５ｓ（図９）は、本発明の遮光部の一例であり、複数の開口２２５ｈは本発明の複数の透光部の一例である。
【００９３】
本発明は、以上の実施形態に限定されず、種々の態様で実施されてよい。
【００９４】
電子機器は、携帯電話機に限定されない。例えば、ＰＤＡ、デジタルカメラ、ゲーム機であってもよい。また、電子機器は、２つの筐体を有するものに限定されず、３以上の筐体を有するものであってもよい。
【００９５】
２つの筐体の相対移動は、回転移動に限定されない。例えば、相対移動は、平行移動であってもよい。具体的には、電子機器は、２つの筐体が、閉状態における重ね合わせ方向に直交する方向へ互いに平行移動する、いわゆるスライド式のものであってもよい。
【００９６】
２つの筐体の相対移動が回転移動である場合、電子機器は、折り畳み式のものに限定されない。例えば、電子機器は、２つの筐体が、閉状態における重ね合わせ方向を軸方向とする回転軸回りに相対回転する、いわゆるリボルバー式のものであってもよい。
【００９７】
検出対象となる相対移動は、２つの筐体の開閉に限定されない。例えば、２つの筐体が、開状態と閉状態との間で折り畳み可能に連結されるとともに、開状態において筐体の表裏を反転可能に（例えば、図１において、正面部５ａを、図１の紙面上下方向に延びる回転軸回りの回転により紙面奥手側へ向けることが可能に）連結された、いわゆる２軸ヒンジの電子機器において、筐体の表裏の反転における回転が検出対象となってもよい。
【００９８】
連結部は、筐体の一部を含んで構成されていなくてもよい。例えば、リボルバー式の携帯電話機において、２つの筐体に挿通される筒状のヒンジ部材のみにより、連結部が構成されていてもよい。逆に、連結部は、筐体の一部によってのみ構成されていてもよい。例えば、第１筐体及び第２筐体は、互いに相対回転可能に係合するように組み立てられて構成されるものであってもよい。
【００９９】
発光部及び受光部は、双方が連結部内に配置されていなくてもよい。例えば、発光部及び受光部の一方が連結部内に配置されているだけでも、連結部内に光路を設けることが容易になる。また、発光部及び受光部の双方が連結部内に配置されていなくても、双方が連結部に隣接して配置されていれば、光路を連結部内に設けることが容易になる。
【０１００】
規制部材は、互いに固定的に設けられた発光部及び受光部に対して移動するものに限定されない。例えば、発光部及び受光部の一方に対して規制部材が固定的に設けられ、発光部及び受光部の相対移動に伴って、規制部材が発光部及び受光部との間で相対的に移動するように構成されてもよい。
【０１０１】
規制部材は、光を完全に又は略遮断する部材により構成されるものに限定されない。例えば、規制部材は、特定の波長の光のみを透過させるフィルタや、光量を減じつつ光を透過させる減光フィルタにより構成されてもよい。また、規制部材の形状や大きさも適宜に設定されてよい。
【０１０２】
規制部材は、第２の実施形態及び第３の実施形態の態様以外にも種々可能である。例えば、規制部材において、複数の微小開口を形成するとともに、微小開口の密度が移動方向において変化するように、微小開口の分布を設定することにより、開閉に伴って受光部における発光部からの光の受光量を変化させることができる。
【０１０３】
規制部材の透光部は、開口により構成されるものに限定されない。すなわち、透光部は、透光部材により構成されていてもよい。例えば、第３の実施形態のカゴ状部材２２５の複数の開口２２５ｈにフィルタを配置することにより、遮光部と透光部とが形成されてもよい。また、例えば、透光性樹脂及び遮光性樹脂による２色成形により、又は、透光性樹脂により形成された部材の表面に遮光性塗料を部分的に塗布することにより、遮光部と透光部とを形成してもよい。複数の透光部の大きさ、形状、位置は、適宜に設定されてよい。遮光部は、透光部に比較して光の透過を規制すればよく、完全に光を遮光するものに限定されない。
【０１０４】
複数の透光部間において光量を互いに異ならせる方法は、透光部の面積を互いに異ならせる方法に限定されない。例えば、光を透過させる量が互いに異なる複数の減光フィルタにより複数の透光部を形成したり、減光フィルタが設けられる開口と設けられない開口とを設定したりすることにより、複数の透光部間において光量を互いに異ならせてもよい。
【０１０５】
第１筐体及び第２筐体の相対移動が回転移動である場合において、発光部及び受光部は、第１筐体及び第２筐体の相対回転に関する半径方向において対向可能に配置されるものに限定されない。例えば、回転軸の軸方向において受光可能に配置されていてもよい。
【０１０６】
図１１は、本発明の変形例を示す図である。発光部２９及び受光部３１は、一方（図１１では発光部２９）が突部１３内において表示筐体５に固定され、他方（図１１では受光部３１）が側方部１１Ａ内において操作筐体３に固定され、回転軸ＲＡの軸方向において対向している。発光部２９及び受光部３１の間には、操作筐体３及び表示筐体５の相対回転に伴って回転軸ＲＡ回りに回転する、規制部材としての円盤状部材３２５が設けられている。円盤状部材３２５には、移動方向（回転軸ＲＡ回りの回転方向）に沿って、複数の透光部としての複数の切り欠き部３２５ｈが形成されている。この変形例においても、実施形態と同様の効果が得られる。
【図面の簡単な説明】
【０１０７】
【図１】本発明の電子機器としての携帯電話機の第１実施形態を示す外観斜視図。
【図２】図１のＩＩ−ＩＩ線における断面を示す概略図。
【図３】図１の携帯電話機の信号処理系の構成を示すブロック図。
【図４】図１の携帯電話機の作用を説明する図。
【図５】図１の携帯電話機の開閉状態と受光量との関係を示す図。
【図６】本発明の電子機器としての携帯電話機の第２実施形態を示す図。
【図７】図６の携帯電話機の作用を説明する図。
【図８】本発明の電子機器としての携帯電話機の第３実施形態を示す図。
【図９】図８の携帯電話機のカゴ状部材の展開図。
【図１０】図９の携帯電話機の開閉状態と受光量との関係を示す図。
【図１１】本発明の変形例を示す図。
【符号の説明】
【０１０８】
１…携帯電話機（電子機器）、３…操作筐体（第１筐体）、５…表示筐体（第２筐体）、７…連結部、２９…発光部、３１…受光部、３３…制御部、２２５ｓ…遮光部分（遮光部）、２２５ｈ…開口（透光部）、２５…筒状部材（規制部材）、１２５…遮光部材（規制部材）
【図１】
2009239827.tif 000003
【図２】
2009239827.tif 000004
【図３】
2009239827.tif 000005
【図４】
2009239827.tif 000006
【図５】
2009239827.tif 000007
【図６】
2009239827.tif 000008
【図７】
2009239827.tif 000009
【図８】
2009239827.tif 000010
【図９】
2009239827.tif 000011
【図１０】
2009239827.tif 000012
【図１１】
2009239827.tif 000013